Podtech/llm-jp-corpus-v4-ja_patent huggingface dataset:
【手続補正書】
【提出日】平成21年7月21日(2009.7.21)
【手続補正１】
【補正対象書類名】特許請求の範囲
【補正対象項目名】請求項４
【補正方法】変更
【補正の内容】
【請求項４】
前記頂部と底部をそれぞれ複数有し、これらが前記凸部の外周に対称的に配列されている請求項３に記載の経皮吸収製剤用装置。
【手続補正２】
【補正対象書類名】明細書
【補正対象項目名】００１１
【補正方法】変更
【補正の内容】
【００１１】
前記溶解液保存容器の底部の中央部に設けた凸部が、先端に凹部を有する。特に、前記凸部の外周に頂部と底部を有する。また、前記頂部と底部をそれぞれ複数有し、これらが前記凸部の外周に対称的に配列されている。
【手続補正３】
【補正対象書類名】明細書
【補正対象項目名】００４４
【補正方法】変更
【補正の内容】
【００４４】
熱可塑性樹脂層を介して接合する場合には、基材１とリッド材７の間に熱可塑性樹脂を挟み込み、ラミネートする。ラミネート手法としては、エクストルージョンラミネート法、ドライラミネート法、熱ラミネート法等、種々の加工方法を用いることができる。上記の熱可塑性樹脂を、エクストルージョンラミネート法ではＴダイで押出して積層、ドライ及び熱ラミネート法ではインフレーションやＴダイ法によりフィルムとして成膜後に積層して使用する。尚、基材１に溶解液通過孔９が形成された状態でラミネートする場合には、エクストルージョンラミネート法及びドライラミネート法を適用することができないため、熱ラミネート法を用いる。
【手続補正４】
【補正対象書類名】明細書
【補正対象項目名】００５８
【補正方法】変更
【補正の内容】
【００５８】
上記熱可塑性樹脂層１４の積層方法としては、エクストルージョンラミネート法、ドライラミネート法、熱ラミネート法等、種々の加工方法を用いることができる。熱可塑性樹脂を、エクストルージョンラミネート法ではＴダイで押出して積層、ドライ及び熱ラミネート法ではインフレーションやＴダイ法によりフィルムとして成膜後に積層する。
【手続補正５】
【補正対象書類名】明細書
【補正対象項目名】０１１３
【補正方法】変更
【補正の内容】
【０１１３】
【図１】本発明の好ましい実施形態であるイオントフォレーシス装置の構成例を示す模式図である。
【図２】図１に示したイオントフォレーシス装置の溶解液保存容器を示す模式図である。
【図３】本発明に用いられる溶解液保存容器の他の構成例を示す模式図である。
【図４】本発明に用いられる溶解液保存容器の他の構成例を示す模式図である。
【図５】本発明に用いられる溶解液保存容器の他の構成例を示す模式図である。
【図６】本発明に用いられる溶解液保存容器の他の構成例を示す模式図である。
【図７】本発明に用いられる溶解液保存容器の他の構成例を示す模式図である。
【図８】本発明において、アルミ製リッド材を用いたイオントフォレーシス装置の構成例を示す模式図である。
【図９】本発明の経皮吸収製剤用装置の一例の製造工程図である。
【図１０】本発明の経皮吸収製剤用装置の一例の製造工程図である。
【図１１】本発明の経皮吸収製剤用装置の一例の製造工程図である。
【図１２】本発明の経皮吸収製剤用装置の一例の製造工程図である。
【図１３】本発明の経皮吸収製剤用装置の一例の製造工程図である。
【図１４】本発明の経皮吸収製剤用装置の一例の製造工程図である。
【図１５】本発明の実施例で用いた溶解液保存容器を示す模式図である。
【図１６】本発明の実施例で比較例１として用いた溶解液保存容器を示す模式図である。
【図１７】本発明の実施例で比較例２として用いた溶解液保存容器を示す模式図である。
【図１８】本発明に用いられる溶解液保存容器の他の構成例を示す模式図である。
【手続補正書】
【提出日】平成21年8月14日(2009.8.14)
【手続補正１】
【補正対象書類名】特許請求の範囲
【補正対象項目名】全文
【補正方法】変更
【補正の内容】
【特許請求の範囲】
【請求項１】
軸状の被検査部品を検査するための部品検査装置であって、
前記被検査部品を載置して搬送可能な搬送体と、
前記搬送体に載置されて搬送される被検査部品を検査する検査ユニットと、
前記検査ユニットの検査結果に応じて前記被検査部品を良品と不良品に選別する選別ユニットとを備え、
前記搬送体は、前記被検査部品が保持される複数の保持部が形成されたテーパー形状の部品載置面を有するテーパー円盤と、前記テーパー円盤を回転駆動する駆動部とを有しており、前記テーパー円盤の回転軸は鉛直方向に対して傾斜しており、
前記保持部は、前記部品載置面上を前記テーパー円盤半径方向に延び両端が開いた溝であって、前記被検査部品の両端面が前記テーパー円盤半径方向に向くように前記被検査部品を保持可能である、
部品検査装置。
【請求項２】
前記テーパー円盤の最上部付近に前記被検査部品を供給する供給部と、
前記テーパー円盤の最下部付近から前記被検査部品が排出される排出部とをさらに備えている、請求項１に記載の部品検査装置。
【請求項３】
前記被検査部品は軸部と前記軸部から直径方向に突出する突出部とを有しており、
前記保持部は、前記被検査部品の突出部を支持するための支持部を有しており、
前記被検査部品は、前記テーパー円盤の最上部付近で前記突出部が前記支持部に支持された状態で前記保持部に保持されることが可能であり、前記テーパー円盤の最下部付近で前記突出部が前記支持部の下方に位置して前記保持部から離脱することが可能である、請求項２に記載の部品検査装置。
【請求項４】
前記テーパー円盤の外周側に配置され、前記被検査部品が前記テーパー円盤から脱落するのを防止するためのガイド部材をさらに備えている、請求項２又は３に記載の部品検査装置。
【請求項５】
前記テーパー円盤の回転軸の傾斜角度は、前記テーパー円盤の最下部において前記テーパー円盤の保持部が鉛直に延びるように設定されている、請求項１〜４のいずれかに記載の部品検査装置。
【請求項６】
前記検査ユニットは、前記テーパー円盤に載置された前記被検査部品の端面に対向するカメラを有している、請求項１〜５のいずれかに記載の部品検査装置。
【請求項７】
前記選別ユニットは、前記カメラより前記テーパー円盤回転方向前側に配置されており、前記被検査部品の不良品を前記テーパー円盤の保持部から取り除く、請求項６に記載の部品検査装置。
【請求項８】
前記検査ユニットは、前記テーパー円盤に載置された前記被検査部品の第１端面及び第２端面にそれぞれ対向する第１及び第２カメラを有している、請求項１〜５のいずれかに記載の部品検査装置。
【請求項９】
前記選別ユニットは、前記第１及び第２カメラより前記テーパー円盤回転方向前側に配置されており、前記被検査部品の不良品を前記テーパー円盤の保持部から取り除く、請求項８に記載の部品検査装置。
【請求項１０】
前記テーパー円盤から排出された被検査部品の起立状態での側面を検査する第２検査ユニットをさらに備えている、請求項１〜９のいずれかに記載の部品検査装置。
【手続補正書】
【提出日】平成21年2月12日(2009.2.12)
【手続補正１】
【補正対象書類名】明細書
【補正対象項目名】００５７
【補正方法】変更
【補正の内容】
【００５７】
触媒中の不純物の総量としては前述したように金属換算で0.15質量%を上回ると、触媒の活性が大きく低下する。ここでも上記と同様に、担体中のアルカリ金属又はアルカリ土類金属の含有量を必要以上に低減することは不経済となるため、触媒中のアルカリ金属又はアルカリ土類金属は触媒活性に悪影響を与えない範囲で含有していても構わない。上記したように、担体中のアルカリ金属又はアルカリ土類金属の含有量を金属換算で0.01質量%程度まで低下させれば、十分な効果が得られることから、担体中のアルカリ金属又はアルカリ土類金属の各元素の含有量はそれぞれ金属換算で0.01質量%以上とすることが、コスト面から好ましい。
【手続補正書】
【提出日】平成21年9月18日(2009.9.18)
【手続補正１】
【補正対象書類名】特許請求の範囲
【補正対象項目名】全文
【補正方法】変更
【補正の内容】
【特許請求の範囲】
【請求項１】
回転可能に設けられ、ペースト状の処理剤が供給されるプレートと、
前記プレート上に隙間をあけて配置され、前記プレートの回転により前記処理剤が前記隙間を通ることで前記プレート上に前記処理剤の膜を形成する膜形成部材と、
前記膜形成部材に近接して配置され、前記プレートの回転により前記膜形成部材へ向かう前記処理剤を前記プレートに押し付ける押し付け部材と
を具備する塗布装置。
【請求項２】
請求項１に記載の塗布装置であって、
前記押し付け部材は、
前記プレートに対面する上壁と、
前記プレートによる回転の外周側に設けられた外周壁と
を有する塗布装置。
【請求項３】
請求項２に記載の塗布装置であって、
前記上壁は、前記膜形成部材に向かうにしたがい徐々に前記プレートに近づく内面を有する塗布装置。
【請求項４】
請求項２に記載の塗布装置であって、
前記上壁は、前記外周壁に向かうにしたがい徐々にプレートに近づく内面を有する塗布装置。
【請求項５】
請求項２に記載の塗布装置であって、
前記上壁は、
内面と、
前記内面に、前記回転の周方向に形成された複数の溝と
を有する塗布装置。
【請求項６】
請求項２に記載の塗布装置であって、
前記上壁は、
内面と、
前記プレートの回転により処理剤が徐々に回転の内周側へ向かうように、前記内面に形成された複数の溝と
を有する塗布装置。
【請求項７】
請求項１に記載の塗布装置であって、
前記処理剤が流動するときの圧力により前記押し付け部材が移動するように該押し付け部材を支持する支持機構と、
前記押し付け部材の動きを検出する検出手段と
をさらに具備する塗布装置。
【請求項８】
請求項７に記載の塗布装置であって、
前記支持機構は、前記押し付け部材を弾性的に支持する塗布装置。
【請求項９】
請求項７に記載の塗布装置であって、
前記押し付け部材の膜形成部材側に設けられ、前記押し付け部材を回動させるヒンジ機構を有する塗布装置。
【請求項１０】
請求項７に記載の塗布装置であって、
前記支持機構は、
前記押し付け部材を回動させるヒンジ機構と、
前記押し付け部材を弾性的に保持するバネと
を有する塗布装置。
【請求項１１】
請求項７に記載の塗布装置であって、
前記支持機構は、前記押し付け部材がリニアに移動可能に支持するリニア移動機構を有する塗布装置。
【請求項１２】
請求項１に記載の塗布装置であって、
前記押し付け部材の動きを検出する検出手段をさらに具備し、
前記押し付け部材は板バネ状に作用する塗布装置。
【請求項１３】
請求項１に記載の塗布装置であって、
前記押し付け部材は、前記上流側に設けられた開口を有し、
前記塗布装置は、
前記開口の一部を塞ぐように設けられた壁部材を有する、前記プレート上で前記押し付け部材に近接して配置されたカバーをさらに具備する塗布装置。
【請求項１４】
ペースト状の処理剤が供給されるプレートと、
前記プレート上に隙間をあけて、かつ、前記プレートに沿って移動可能に配置され、前記移動により前記処理剤が前記隙間を通ることで前記プレート上に前記処理剤の膜を形成する膜形成部材と、
前記膜形成部材に近接して配置され、前記膜形成部材の移動により前記膜形成部材へ向かう前記処理剤を前記プレートに押し付ける押し付け部材と
を具備する塗布装置。
【請求項１５】
回転可能に設けられ、ペースト状の処理剤が供給されるプレートと、
前記プレート上に隙間をあけて配置され、前記プレートの回転により前記処理剤が前記隙間を通ることで前記プレート上に前記処理剤の膜を形成する膜形成部材と、
前記プレートの回転により前記膜形成部材に当接して滞留する前記処理剤の量を検出する検出手段と
を具備する塗布装置。
【請求項１６】
ペースト状の処理剤が供給されるプレートと、
前記プレート上に隙間をあけて、かつ、前記プレートに沿って移動可能に配置され、前記移動により前記処理剤が前記隙間を通ることで前記プレート上に前記処理剤の膜を形成する膜形成部材と、
前記膜形成部材の移動により前記膜形成部材に当接して滞留する前記処理剤の量を検出する検出手段と
を具備する塗布装置。
【請求項１７】
回転可能に設けられ、ペースト状の処理剤が供給されるプレートと、
前記プレート上に隙間をあけて配置され、前記プレートの回転により前記処理剤が前記隙間を通ることで前記プレート上に前記処理剤の膜を形成する膜形成部材と、
前記膜形成部材に近接して配置され、前記プレートの回転により前記膜形成部材へ向かう前記処理剤を前記プレートに押し付ける押し付け部材と、
第１の電子部品を保持して移動させることが可能であり、前記プレートに塗布された前記処理剤を前記第１の電子部品に付着させ、前記処理剤が付着した前記第１の電子部品を第２の電子部品上に載置させる実装機構と
を具備する実装装置。
【請求項１８】
ペースト状の処理剤が供給されたプレートを回転させ、
前記プレートの回転により、前記プレート上に配置された膜形成部材と前記プレートとの隙間に、前記処理剤が通ることで前記プレート上に前記処理剤の膜を形成し、
前記膜形成部材に近接して配置された押し付け部材により、前記プレートの回転により前記膜形成部材へ向かう前記処理剤を前記プレートに押し付け、
前記プレートに塗布された前記処理剤を第１の電子部品に付着させ、
前記処理剤が付着した前記第１の電子部品を第２の電子部品上に載置させる
ことにより製造された電子部品。
【手続補正書】
【提出日】平成21年9月4日(2009.9.4)
【手続補正１】
【補正対象書類名】特許請求の範囲
【補正対象項目名】全文
【補正方法】変更
【補正の内容】
【特許請求の範囲】
【請求項１】
液滴を噴射するための複数のノズル及び前記複数のノズルにそれぞれ対応する複数の圧電素子を有し、前記複数の圧電素子に印加する駆動電圧の設定値に基づく前記複数の圧電素子に対する駆動電圧の印加に応じて、塗布対象物に前記複数のノズルから液滴をそれぞれ噴射する液滴噴射ヘッドと、
前記塗布対象物に対して相対移動し、前記塗布対象物上の前記液滴を含む複数の検査領域を順次撮像する撮像部と、
撮像した前記複数の検査領域の画像に基づいて、前記液滴の主滴に付随する付随滴の発生を検出し、検出した前記付随滴の発生を回避するように前記駆動電圧の設定値を修正する手段と、
を備えることを特徴とする液滴噴射装置。
【請求項２】
液滴を噴射するための複数のノズル及び前記複数のノズルにそれぞれ対応する複数の圧電素子を有し、前記複数の圧電素子に印加する駆動電圧の印加タイミングの設定値に基づく前記複数の圧電素子に対する駆動電圧の印加に応じて、塗布対象物に前記複数のノズルから液滴をそれぞれ噴射する液滴噴射ヘッドと、
前記塗布対象物に対して相対移動し、前記塗布対象物上の前記液滴を含む複数の検査領域を順次撮像する撮像部と、
撮像した前記複数の検査領域の画像に基づいて、前記液滴の着弾位置ずれを検出し、検出した前記液滴の着弾位置ずれを回避するように前記駆動電圧の印加タイミングの設定値を修正する手段と、
を備えることを特徴とする液滴噴射装置。
【請求項３】
液滴を噴射するための複数のノズル及び前記複数のノズルにそれぞれ対応する複数の圧電素子を有し、前記複数の圧電素子に印加する駆動電圧の設定値に基づく前記複数の圧電素子に対する駆動電圧の印加に応じて、前記複数のノズルから液滴をそれぞれ噴射する液滴噴射ヘッドにより、塗布対象物に前記液滴を塗布するステップと、
前記塗布対象物に対して相対移動する撮像部により、前記塗布対象物上の前記液滴を含む複数の検査領域を順次撮像するステップと、
撮像した前記複数の検査領域の画像に基づいて、前記液滴の主滴に付随する付随滴の発生を検出し、検出した前記付随滴の発生を回避するように前記駆動電圧の設定値を修正するステップと、
修正した前記駆動電圧の設定値に基づいて、前記液滴噴射ヘッドにより塗布体を製造するステップと、
を有することを特徴とする塗布体の製造方法。
【請求項４】
液滴を噴射するための複数のノズル及び前記複数のノズルにそれぞれ対応する複数の圧電素子を有し、前記複数の圧電素子に印加する駆動電圧の印加タイミングの設定値に基づく前記複数の圧電素子に対する駆動電圧の印加に応じて、前記複数のノズルから液滴をそれぞれ噴射する液滴噴射ヘッドにより、塗布対象物に前記液滴を塗布するステップと、
前記塗布対象物に対して相対移動する撮像部により、前記塗布対象物上の前記液滴を含む複数の検査領域を順次撮像するステップと、
撮像した前記複数の検査領域の画像に基づいて、前記液滴の着弾位置ずれを検出し、検出した前記液滴の着弾位置ずれを回避するように前記駆動電圧の印加タイミングの設定値を修正するステップと、
修正した前記駆動電圧の印加タイミングの設定値に基づいて、前記液滴噴射ヘッドにより塗布体を製造するステップと、
を有することを特徴とする塗布体の製造方法。
【請求項５】
液滴を噴射するための複数のノズル及び前記複数のノズルにそれぞれ対応する複数の圧電素子を有し、塗布対象物に対して噴射を行う噴射位置の設定値に基づく噴射位置から、前記複数の圧電素子に対する駆動電圧の印加に応じて、前記複数のノズルから液滴をそれぞれ噴射する液滴噴射ヘッドにより、前記塗布対象物に前記液滴を塗布するステップと、
前記塗布対象物に対して相対移動する撮像部により、前記塗布対象物上の前記液滴を含む複数の検査領域を順次撮像するステップと、
撮像した前記複数の検査領域の画像に基づいて、前記液滴の着弾異常を検出し、検出した前記液滴の着弾異常を回避するように前記噴射位置の設定値を修正するステップと、
修正した前記噴射位置の設定値に基づいて、前記液滴噴射ヘッドにより塗布体を製造するステップと、
を有することを特徴とする塗布体の製造方法。
【手続補正書】
【提出日】平成21年8月14日(2009.8.14)
【手続補正１】
【補正対象書類名】明細書
【補正対象項目名】０００３
【補正方法】変更
【補正の内容】
【０００３】
部品検査装置は、さらには、検査ユニットの検査結果に応じて被検査部品を良品と不良品とを選別する選別ユニットを備えている。選別ユニットは、例えば、不良品を搬送ユニットから排除する。
【手続補正書】
【提出日】平成21年9月16日(2009.9.16)
【手続補正１】
【補正対象書類名】特許請求の範囲
【補正対象項目名】全文
【補正方法】変更
【補正の内容】
【特許請求の範囲】
【請求項１】
遊技盤の前面に形成され、発射手段から発射された遊技球が打ち込まれる遊技領域と、該遊技領域に設けられた複数種類の入賞口と、該複数種類の入賞口のうち始動入賞口に遊技球が入球したことに基づいて遊技者に所定の利益を付与する利益付与状態に制御するか否かを判定する利益付与判定手段と、該利益付与判定手段による判定がなされたことに基づいて複数種類の図柄情報の可変表示を開始して所定期間経過後に所定の表示結果を導出表示可能な可変表示装置と、を備え、該利益付与判定手段により前記利益付与状態に制御すると判定されたことに基づいて前記可変表示装置に特定の表示結果を導出表示する遊技機であって、
前記可変表示装置を表示制御する表示制御手段と、
前記遊技領域に配設され、遊技球の受け入れが可能な開放状態と遊技球を受け入れが困難な閉塞状態とに変化可能な大入賞口開閉装置と、
該大入賞口開閉装置に受け入れられた遊技球を検出する大入賞口内検出手段と、
前記大入賞口開閉装置を前記開放状態に制御してからの経過時間を計測する計時手段と、
前記大入賞口開閉装置の開閉回数を計数する計数手段と、
前記大入賞口開閉装置を開閉制御する処理を複数回繰り返し実行することにより前記利益付与状態に制御し、前記大入賞口開閉装置を開放状態に制御してからの経過時間が所定時間に達したときに前記大入賞口開閉装置を閉塞状態に制御し、前記計数手段によって計数した前記利益付与状態に制御してからの前記開閉回数が所定回数に達したときに前記利益付与状態を終了させる利益付与状態制御手段と、を備え、
前記利益付与状態は、
前記計数手段によって計数した前記利益付与状態に制御してからの前記開閉回数が第１回数に達したときに前記利益付与状態制御手段により前記利益付与状態を終了させる高利益付与状態と、
前記計数手段によって計数した前記利益付与状態に制御してからの前記開閉回数が前記第１回数よりも少ない第２回数に達したときに前記利益付与状態制御手段により前記利益付与状態を終了させ、該利益付与状態の終了後に前記利益付与判定手段によって前記利益付与状態に制御すると判定される確率が通常よりも高い高確率状態に制御される低利益付与状態と、
前記計数手段によって計数した前記利益付与状態に制御してからの前記開閉回数が前記第２回数に達したときに前記利益付与状態制御手段により前記利益付与状態を終了させる特殊利益付与状態と、を含み、
前記低利益付与状態は、
前記計時手段によって計測した前記経過時間が第１時間に達したときに前記利益付与状態制御手段により前記大入賞口開閉装置を閉塞状態に制御する第１低利益付与状態と、
前記計時手段によって計測した前記経過時間が前記第１時間よりも長い第２時間に達したときに前記利益付与状態制御手段により前記大入賞口開閉装置を閉塞状態に制御する第２低利益付与状態と、を含み、
前記特殊利益付与状態は、
前記計時手段によって計測した前記経過時間が前記第１時間に達したときに前記特殊利益付与状態制御手段により前記大入賞口開閉装置を閉塞状態に制御する第１特殊利益付与状態と、
前記計時手段によって計測した前記経過時間が前記第２時間に達したときに前記特殊利益付与状態制御手段により前記大入賞口開閉装置を閉塞状態に制御する第２特殊利益付与状態と、を含み、
前記利益付与判定手段は、前記利益付与状態に制御する場合に前記高利益付与状態と、前記低利益付与状態と、前記特殊利益付与状態と、のいずれかに決定するととともに、前記低利益付与状態に決定したときに前記第１低利益付与状態と前記第２低利益付与状態との一方に決定し、前記特殊利益付与状態に決定したときに前記第１特殊利益付与状態と前記第２特殊利益付与状態との一方に決定する付与価値決定手段と、を含み、
該付与価値決定手段は、前記低利益付与状態に決定したときに前記第１低利益付与状態に決定するよりも高い割合で前記第２低利益付与状態に決定し、前記特殊利益付与状態に決定したときに前記第１特殊利益付与状態に決定するよりも高い割合で前記第２特殊利益付与状態に決定し、
前記表示制御手段は、前記利益付与状態制御手段により前記低利益付与状態及び前記特殊利益付与状態を終了するとき、当該低利益付与状態及び特殊利益付与状態の実行中に前記大入賞口内検出手段によって検出された遊技球の個数が所定数以上であれば第１態様で前記可変表示装置を表示制御し、当該低利益付与状態及び特殊利益付与状態の実行中に前記大入賞口内検出手段によって検出された遊技球の個数が前記所定数未満であれば第２態様で前記可変表示装置を表示制御することを特徴とする遊技機。
【請求項２】
前記表示制御手段によって前記複数種類の図柄情報の可変表示を開始してから前記表示結果を導出表示するまでの可変表示時間を決定する可変表示時間決定手段と、
前記可変表示時間を通常よりも短くする短縮制御を行う時短制御手段と、
該時短制御手段によって前記短縮制御しているとき、前記可変表示の実行回数として当該可変表示を開始する以前に計数する時短回数計数手段と、
該時短回数計数手段によって計数した前記可変表示の実行回数が所定回数に達したか否かを、当該可変表示の表示結果を導出表示する以前に判定する終了条件判定手段と、を備え、
前記可変表示時間決定手段は、前記時短制御手段によって前記短縮制御していないときに通常可変表示時間に決定し、前記時短制御手段によって前記短縮制御しているときに前記通常可変表示時間よりも短い短縮可変表示時間に決定し、
前記時短制御手段は、前記終了条件判定手段によって前記可変表示の実行回数が所定回数に達したと判定されたときに前記短縮制御を終了し、
前記時短回数計数手段は、前記低利益付与状態を終了するときに前記時短制御手段によって前記短縮制御していれば当該可変表示の実行回数を初期化して前記時短制御手段によって前記短縮制御するとともに該短縮制御中の可変表示の実行回数を初期値から計数し、前記低利益付与状態を終了するときに前記時短制御手段によって前記短縮制御していない場合及び前記特殊利益付与状態を終了する場合には当該可変表示の実行回数を初期化しないことにより前記特殊利益付与状態を終了するときに前記時短制御手段によって前記時短制御している場合にのみ継続して前記実行回数を計数することを特徴とする請求項１記載の遊技機。
【請求項３】
遊技機を光装飾する発光部材と、
該発光部材を所定の態様で駆動制御する発光制御手段と、を備え、
前記発光制御手段は、前記時短制御手段によって前記短縮制御しているときには短縮態様で前記発光部材を駆動制御し、前記時短制御手段によって前記短縮制御していないときには前記短縮態様とは異なる通常態様で前記発光部材を駆動制御することを特徴とする請求項２記載の遊技機。
【手続補正書】
【提出日】平成21年9月16日(2009.9.16)
【手続補正１】
【補正対象書類名】特許請求の範囲
【補正対象項目名】全文
【補正方法】変更
【補正の内容】
【特許請求の範囲】
【請求項１】
遊技盤の前面に形成され、発射手段から発射された遊技球が打ち込まれる遊技領域と、該遊技領域に設けられた複数種類の入賞口と、該複数種類の入賞口のうち始動入賞口に遊技球が入球したことに基づいて遊技者に所定の利益を付与する利益付与状態に制御するか否かを判定する利益付与判定手段と、複数種類の図柄情報の可変表示を行って前記利益付与判定手段の判定結果に応じた表示結果を導出表示可能な可変表示装置と、を備え、該利益付与判定手段により前記利益付与状態に制御すると判定されたことに基づいて前記可変表示装置に特定の表示結果を導出表示する遊技機であって、
前記始動入賞口に遊技球が入球したことに基づいて前記可変表示装置にて前記複数種類の図柄情報の可変表示を開始し、所定期間が経過したときに前記利益付与判定手段の判定結果に応じた表示結果を導出表示させる表示制御手段と、
該表示制御手段により前記可変表示装置にて前記複数種類の図柄情報の可変表示を開始してから前記表示結果を導出表示させるまでの可変表示時間を決定する可変表示時間決定手段と、
前記遊技領域に配設され、遊技球の受け入れが可能な開放状態と遊技球を受け入れが困難な閉塞状態とに変化可能な大入賞口開閉装置と、
該大入賞口開閉装置を前記開放状態に制御してからの経過時間を計測する計時手段と、
該計時手段によって計測した前記経過時間が所定時間に達したか否かを判定する計時判定手段と、
所定期間内の前記大入賞口開閉装置の開閉回数を計数する計数手段と、
該計数手段によって計数した前記開閉回数が所定回数に達したか否かを判定する開閉回数判定手段と、
前記大入賞口開閉装置を開閉制御する処理を複数回繰り返し実行する利益付与状態制御手段と、を備え、
前記利益付与判定手段は、前記利益付与状態に制御する場合に高利益付与状態と、該高利益付与状態よりも付与される利益価値が低い低利益付与状態と、のいずれかに決定し、前記低利益付与状態に決定したときに第１低利益付与状態と、該第１低利益付与状態よりも付与される利益価値が高い第２低利益付与状態と、のいずれかに決定する利益価値決定手段を備え、
前記利益付与状態制御手段は、
前記利益価値決定手段によって前記高利益付与状態に決定されたことに基づいて前記大入賞口開閉装置を開閉制御する処理を実行し、前記開閉回数判定手段によって前記開閉回数が第１回数に達したと判定されたときに前記高利益付与状態を終了し、
前記利益価値決定手段によって前記第１低利益付与状態に決定されたことに基づいて前記大入賞口開閉装置を開放状態に制御した後、前記計時判定手段によって前記経過時間が第１時間に達したと判定されたときに前記大入賞口開閉装置を閉塞状態に制御する開閉制御を実行し、前記開閉回数判定手段によって前記開閉回数が前記第１回数よりも少ない第２回数に達したと判定されたときに前記第１低利益付与状態を終了し、
前記利益価値決定手段によって前記第２低利益付与状態に決定されたことに基づいて前記大入賞口開閉装置を開放状態に制御した後、前記計時判定手段によって前記経過時間が前記第１時間よりも長い第２時間に達したと判定されたときに前記大入賞口開閉装置を閉塞状態に制御する開閉制御を実行し、前記開閉回数判定手段によって前記開閉回数が前記第１回数よりも少ない第２回数に達したと判定されたときに前記第２低利益付与状態を終了することを特徴とする遊技機。
【請求項２】
前記利益付与状態の終了後に前記利益付与判定手段によって前記利益付与状態に制御すると判定される確率が通常よりも高い高確率状態に制御する高確率状態制御手段を備えることを特徴とする請求項１記載の遊技機。
【請求項３】
前記利益付与判定手段は、前記始動入賞口に遊技球が入球したことに基づいて前記利益付与状態とは異なる状態であって遊技者に所定の利益を付与する特殊遊技状態に制御するか否かを判定する特殊遊技判定手段を含み、
前記利益価値決定手段は、
前記特殊遊技状態に制御する場合に第１特殊遊技状態と、該第１特殊遊技状態よりも付与される利益価値が高い第２特殊遊技状態と、のいずれかに決定し、
前記利益付与状態制御手段は、前記利益価値決定手段によって前記第１特殊遊技状態に決定されたときに前記第１低利益付与状態と同一の制御を実行し、前記利益価値決定手段によって前記第２特殊遊技状態に決定されたときに前記第２低利益付与状態と同一の制御を実行することを特徴とする請求項１または請求項２に記載の遊技機。
【手続補正書】
【提出日】平成21年9月16日(2009.9.16)
【手続補正１】
【補正対象書類名】特許請求の範囲
【補正対象項目名】全文
【補正方法】変更
【補正の内容】
【特許請求の範囲】
【請求項１】
遊技領域が形成され、該遊技領域に向けて打ち込まれた遊技球が流下可能な遊技盤と、前記遊技領域へ遊技球を発射するための発射装置と、前記遊技領域に配設され、該遊技領域を特定入球口が設けられる第１の遊技領域とその他の第２の遊技領域とに区画形成する入賞装置と、前記第２の遊技領域に打ち込まれた遊技球の前記第１の遊技領域内への進入の確率が高くなるように動作可能な可動片と、前記第２の遊技領域に配設される始動口と、所定の条件が成立したことに基づいて少なくとも前記可動片を駆動制御する駆動制御手段と、を備え、前記第２の遊技領域に打ち込まれた遊技球が前記可動片による動作を通じて前記第１の遊技領域内に進入し、該進入した遊技球が前記特定入球口に受け入れられたとき、遊技者にとって有利な特別遊技を行う遊技機であって、
前記可動片の駆動態様を複数種類記憶する駆動態様記憶手段と、
前記駆動制御手段により駆動制御される前記可動片の駆動態様を、前記駆動態様記憶手段に記憶される前記複数種類の駆動態様から決定する駆動態様決定手段と、
少なくとも前記可動片が動作する旨を通知する動作前演出を複数種類記憶する演出記憶手段と、
前記駆動態様決定手段により決定された前記可動片の駆動態様に対応する動作前演出を前記演出記憶手段から読み出し、所定の演出表示手段にて該読み出された動作前演出を表示制御する演出表示制御手段と、
特定の条件が成立するか否かを判定する特定条件判定手段と、をさらに備え、
前記駆動態様決定手段は、前記特定条件判定手段により前記特定の条件が成立する判定がなされたとき、第１の駆動態様に比べて前記第１の遊技領域内への遊技球の進入確率が高くなるように前記可動片が動作可能な第２の駆動態様のみを決定し、
前記演出表示制御手段は、
前記特定条件判定手段により前記特定の条件が成立する判定がなされなかったとき、前記動作前演出にて前記可動片が動作する旨のみを通知する第１の動作前演出表示制御手段と、
前記特定条件判定手段により前記特定の条件が成立する判定がなされたとき、前記動作前演出にて前記可動片が動作する旨を通知するよりも前に、前記第２の駆動態様で前記可動片を駆動制御する旨を通知する第２の動作前演出表示制御手段と、を含むことを特徴とする遊技機。
【請求項２】
所定の表示部に表示される特別図柄を所定の時間だけ変動表示制御する変動表示制御手段と、
前記当落抽選手段による当落についての抽選結果に基づいて、前記特別図柄の変動表示停止時における表示態様を決定する停止時表示態様決定手段と、をさらに備え、
前記駆動態様記憶手段には、前記可動片の駆動態様が前記特別図柄の変動表示停止時における表示態様に関連付けされるかたちで記憶されており、
前記駆動態様決定手段は、前記停止時表示態様決定手段により決定された前記特別図柄の変動表示停止時における表示態様に基づいて、前記可動片の駆動態様を決定することを特徴とする請求項１記載の遊技機。
【請求項３】
前記演出表示制御手段は、前記駆動態様決定手段が前記第２の駆動態様を決定したとき、前記動作前演出にて前記第１の駆動態様を決定したときとは異なる特別の動作前演出を表示制御することを特徴とする請求項１または請求項２に記載の遊技機。
【手続補正書】
【提出日】平成20年12月24日(2008.12.24)
【手続補正１】
【補正対象書類名】特許請求の範囲
【補正対象項目名】全文
【補正方法】変更
【補正の内容】
【特許請求の範囲】
【請求項１】
外枠筐体内に設けられ、洗い水やすすぎ水を溜める円筒形状の外槽と、前記外槽内に回転自在に設けられ、洗濯物を収納する円筒形状の洗濯ドラム槽とを有し、回転軸心線が横または斜めに設置される前記洗濯ドラム槽内で回りながら落下する落下中の洗濯物に洗い水やすすぎ水を掛けるドラム式洗濯機において、
洗い水やすすぎ水の掛ける向きを変える手段を備えたことを特徴とするドラム式洗濯機。
【請求項２】
外枠筐体内に設けられ、洗い水やすすぎ水を溜める円筒形状の外槽と、前記外槽内に回転自在に設けられ、洗濯物を収納する円筒形状の洗濯ドラム槽とを有し、回転軸心線が横または斜めに設置される前記洗濯ドラム槽内で回りながら落下する落下中の洗濯物に洗い水やすすぎ水を掛けるドラム式洗濯機において、
前記洗濯ドラム槽の正逆転に応じて洗い水やすすぎ水の掛ける向きが変わることを特徴とするドラム式洗濯機。
【請求項３】
請求項１又は２に記載のドラム式洗濯機において、
前記外槽に溜まる洗い水やすすぎ水を吸引して洗濯物に掛ける循環ポンプを有することを特徴とするドラム式洗濯機またはドラム式洗濯乾燥機。
【請求項４】
請求項３に記載のドラム式洗濯機において、
前記循環ポンプは、循環ポンプのケーシングに前記洗濯ドラム槽内に洗い水やすすぎ水を散水する吐出口とは別に、使用後の洗い水やすすぎ水を機外に排水するための排水口を一体に形成したことを特徴とするドラム式洗濯機。
【請求項５】
請求項３に記載のドラム式洗濯機において、
前記循環ポンプは、ポンプケーシングとポンプ羽根車を有し、前記洗濯ドラム槽の正逆転に合わせて前記ポンプ羽根車を正逆転させることを特徴とするドラム式洗濯機。
【請求項６】
請求項５に記載のドラム式洗濯機において、
前記ポンプケーシングは、前記ポンプ羽根車の正逆転に応じて吐出が切り替わる二つの吐出口を有することを特徴とするドラム式洗濯機。
【請求項７】
請求項６に記載のドラム式洗濯機において、
前記二つの吐出口から圧送される洗い水やすすぎ水を洗濯物に掛ける二つの噴射口は前記洗濯ドラム槽の中心を通る垂線を間にして左右に向けられたことを特徴とするドラム式洗濯機。
【請求項８】
請求項５乃至７のいずれか１項に記載のドラム式洗濯機またはドラム式洗濯乾燥機において、
前記ポンプ羽根車は、ゴムを含む可塑性を有する材料で形成されていることを特徴とするドラム式洗濯機。
【手続補正書】
【提出日】平成21年9月16日(2009.9.16)
【手続補正１】
【補正対象書類名】特許請求の範囲
【補正対象項目名】全文
【補正方法】変更
【補正の内容】
【特許請求の範囲】
【請求項１】
遊技領域が形成され、該遊技領域に向けて打ち込まれた遊技球が流下可能な遊技盤と、前記遊技領域へ遊技球を発射するための発射装置と、前記遊技領域に配設される始動口と、所定の条件が成立したことに基づいて複数種類の当選種が含まれる当落についての抽選処理を行う当落抽選手段と、前記遊技領域にて所定の駆動態様で開閉動作する開閉部材と、前記開閉部材による開閉動作を通じて前記遊技領域にて開放される大入賞口と、を備え、前記当落抽選手段による当落についての抽選結果が当りであるとき、前記開閉部材による開閉動作を通じた前記大入賞口の開放によって遊技者にとって有利となる特別遊技を行う遊技機であって、
前記当落抽選手段による当落についての抽選結果が当りであることを条件に、前記特別遊技後の遊技状態を決定する遊技状態決定手段と、
前記遊技状態決定手段により決定された遊技状態に前記特別遊技後の遊技状態を切替えて制御する遊技状態制御手段と、
前記当落抽選手段による当落に対応付けされた複数種類の演出を記憶する演出記憶手段と、
前記当落抽選手段による当落についての抽選結果に対応する演出を前記演出記憶手段から読み出し、所定の演出表示手段にて該読み出された演出を表示制御する演出表示制御手段と、をさらに備え、
前記演出表示制御手段は、前記当落抽選手段による当落についての抽選結果が当りであるとき、演出時間の経過に伴って当該抽選結果の当選種に対応する演出結果を表示制御するまで、前記遊技状態決定手段により決定された前記特別遊技後の遊技状態に関わらず略同一の演出を展開するとともに、前記特別遊技後の遊技状態を認識させない演出表示規制手段を含むことを特徴とする遊技機。
【請求項２】
前記開閉部材の駆動態様を複数種類記憶する駆動態様記憶手段と、
前記駆動態様記憶手段に記憶される複数種類の駆動態様のうち所定の駆動態様で前記開閉部材を駆動制御する駆動制御手段と、をさらに備え、
前記当落抽選手段は、前記特別遊技における前記開閉部材の駆動態様を、前記複数種類の当選種の各々に対応する開閉部材の駆動態様に決定し、
前記遊技状態決定手段は、当該抽選結果の当選種に対応する開閉部材の駆動態様に基づいて、前記特別遊技後の遊技状態を決定することを特徴とする請求項１記載の遊技機。
【請求項３】
前記始動口への遊技球の入球率を可変とする入球率可変手段と、
前記特別遊技後の遊技状態を、前記入球率可変手段によって前記始動口への入球率が高められる高入球率状態に設定する高入球率状態設定手段と、をさらに備え、
前記遊技状態決定手段は、前記高入球率状態における前記始動口への入球率を決定することを特徴とする請求項１または請求項２に記載の遊技機。
【手続補正書】
【提出日】平成21年9月16日(2009.9.16)
【手続補正１】
【補正対象書類名】特許請求の範囲
【補正対象項目名】全文
【補正方法】変更
【補正の内容】
【特許請求の範囲】
【請求項１】
遊技領域が形成され、該遊技領域に向けて打ち込まれた遊技球が流下可能な遊技盤と、前記遊技領域へ遊技球を発射するための発射装置と、前記遊技領域に配設され、該遊技領域を特定入球口が設けられる第１の遊技領域とその他の第２の遊技領域とに区画形成する入賞装置と、前記第２の遊技領域に打ち込まれた遊技球の前記第１の遊技領域内への進入の確率が高くなるように動作可能な可動片と、前記第２の遊技領域に配設される始動口と、所定の条件が成立したことに基づいて複数種類の当選種が含まれる当落についての抽選処理を行う当落抽選手段と、前記第２の遊技領域にて所定の駆動態様で開閉動作する開閉部材と、前記開閉部材による開閉動作を通じて前記第２の遊技領域にて開放される大入賞口と、を備え、前記当落抽選手段による当落についての抽選結果が遊技者にとって有利となる特別遊技の実行契機となる当りであるとき、または、前記当落抽選手段による当落についての抽選結果が前記可動片の動作契機となる当りであることに基づき、前記第２の遊技領域に打ち込まれた遊技球が前記可動片による動作を通じて前記第１の遊技領域内に進入し、該進入した遊技球が前記特定入球口に受け入れられたとき、前記開閉部材による開閉動作を通じた前記大入賞口の開放によって前記特別遊技を行う遊技機であって、
前記複数種類の当選種が含まれる当落に対応付けされた複数種類の演出を記憶する演出記憶手段と、
前記当落抽選手段による当落についての抽選結果に対応する演出を前記演出記憶手段から読み出し、所定の演出表示手段にて該読み出された演出を表示制御する演出表示制御手段と、
特定の条件が成立するか否かを判定する特定条件判定手段と、をさらに備え、
前記演出表示制御手段は、
前記当落抽選手段による当落についての抽選結果が前記特別遊技の実行契機となる当りであるとき、前記特別遊技の実行契機となる当りであるか否かを通知する特別遊技演出を表示制御し、当該特別遊技の実行契機となる当りである旨を通知する特別遊技演出表示制御手段と、
前記当落抽選手段による当落についての抽選結果が前記可動片の動作契機となる当りであるとき、当該可動片の動作契機となる当りである旨を通知する可動片演出を表示制御する可動片演出表示制御手段と、を含み、
前記可動片演出表示制御手段は、
前記特定条件判定手段により前記特定の条件が成立する判定がなされなかったとき、前記可動片演出にて前記可動片の動作契機となる当りである旨のみを通知する第１の可動片演出表示制御手段と、
前記特定条件判定手段により前記特定の条件が成立する判定がなされたとき、前記特別遊技演出にて前記特別遊技の実行契機となる当りではない旨を通知した後、前記可動片演出にて前記可動片の動作契機となる当りである旨を一連の演出として通知する第２の可動片演出表示制御手段と、を含むことを特徴とする遊技機。
【請求項２】
所定の表示部に表示される特別図柄を所定の時間だけ変動表示制御する変動表示制御手段と、
前記当落抽選手段による当落についての抽選結果に基づいて、前記特別図柄の変動表示停止時における表示態様を決定する停止時表示態様決定手段と、をさらに備え、
前記特定条件判定手段は、前記停止時表示態様決定手段により決定された前記特別図柄の変動表示停止時における表示態様が特定の表示態様であるとき、前記特定の条件が成立する判定がなされることを特徴とする請求項１記載の遊技機。
【請求項３】
前記始動口への遊技球の入球率を可変とする入球率可変手段と、
特別の条件が成立したことに基づいて当該遊技機の状態を、前記入球率可変手段によって前記始動口への入球率が高められる高入球率状態に設定する高入球率状態設定手段と、をさらに備え、
前記可動片演出表示制御手段は、前記特定条件判定手段により前記特定の条件が成立する判定がなされたとしても、前記高入球率状態であるとき、前記第１の可動片演出表示制御手段による演出を表示制御することを特徴とする請求項１または請求項２に記載の遊技機。
【手続補正書】
【提出日】平成21年1月7日(2009.1.7)
【手続補正１】
【補正対象書類名】特許請求の範囲
【補正対象項目名】請求項１
【補正方法】変更
【補正の内容】
【請求項１】
内容器に収容した液体を、通常保温モードと、該通常保温モードよりも加熱量を小さくする省エネ保温モードとで加熱する加熱手段と、
照度を検出する照度検出手段と、
各種スイッチが操作されることによる入力信号の有無を検出する操作検出手段と、
前記照度検出手段で検出される照度が予め設定した閾値よりも小さい場合、第１設定時間が経過することにより、通常保温モードから省エネ保温モードに移行させる第１省エネ処理を実行する第１省エネ処理手段と、
前記操作検出手段で検出される各種スイッチからの入力信号がなくて、第２設定時間が経過することにより、通常保温モードから省エネ保温モードに移行させる第２省エネ処理を実行する第２省エネ処理手段と、
前記第２省エネ処理により通常保温モードから省エネ保温モードに移行する場合、前記操作検出手段からの入力信号に基づいて、省エネ保温モードから通常保温モードに復帰させるのみならず、前記照度検出手段で一定時間、前記閾値以上の照度を検出することによっても省エネ保温モードから通常保温モードに復帰させる通常保温復帰手段と、
を備えたことを特徴とする電気湯沸し器。
【手続補正２】
【補正対象書類名】明細書
【補正対象項目名】０００９
【補正方法】変更
【補正の内容】
【０００９】
本発明は、前記課題を解決するための手段として、電気湯沸し器を、
内容器に収容した液体を、通常保温モードと、該通常保温モードよりも加熱量を小さくする省エネ保温モードとで加熱する加熱手段と、
照度を検出する照度検出手段と、
各種スイッチが操作されることによる入力信号の有無を検出する操作検出手段と、
前記照度検出手段で検出される照度が予め設定した閾値よりも小さい場合、第１設定時間が経過することにより、通常保温モードから省エネ保温モードに移行させる第１省エネ処理を実行する第１省エネ処理手段と、
前記操作検出手段で検出される各種スイッチからの入力信号がなくて、第２設定時間が経過することにより、通常保温モードから省エネ保温モードに移行させる第２省エネ処理を実行する第２省エネ処理手段と、
前記第２省エネ処理により通常保温モードから省エネ保温モードに移行する場合、前記操作検出手段からの入力信号に基づいて、省エネ保温モードから通常保温モードに復帰させるのみならず、前記照度検出手段で一定時間、前記閾値以上の照度を検出することによっても省エネ保温モードから通常保温モードに復帰させる通常保温復帰手段と、
を備えた構成としたものである。
【手続補正３】
【補正対象書類名】明細書
【補正対象項目名】００１１
【補正方法】変更
【補正の内容】
【００１１】
前記第１省エネ処理手段は、前記第１省エネ処理の実行中であって、通常保温モードから省エネ保温モードに移行する前に、前記操作検出手段により各種スイッチからの入力信号が検出されれば、前記第１省エネ処理の設定時間をリセットするのが好ましい。
【手続補正書】
【提出日】平成21年9月16日(2009.9.16)
【手続補正１】
【補正対象書類名】特許請求の範囲
【補正対象項目名】全文
【補正方法】変更
【補正の内容】
【特許請求の範囲】
【請求項１】
遊技領域が形成され、該遊技領域に向けて打ち込まれた遊技球が流下可能な遊技盤と、前記遊技領域へ遊技球を発射するための発射装置と、前記遊技領域に配設され、該遊技領域を特定入球口が設けられる第１の遊技領域とその他の第２の遊技領域とに区画形成する入賞装置と、前記第２の遊技領域に打ち込まれた遊技球の前記第１の遊技領域内への進入の確率が高くなるように動作可能な可動片と、前記第２の遊技領域に配設される始動口と、所定の条件が成立したことに基づいて複数種類の当選種が含まれる当落についての抽選処理を行う当落抽選手段と、前記第２の遊技領域にて所定の駆動態様で開閉動作する開閉部材と、前記開閉部材による開閉動作を通じて前記第２の遊技領域にて開放される大入賞口と、を備え、前記当落抽選手段による当落についての抽選結果が遊技者にとって有利となる特別遊技の実行契機となる当りであるとき、または、前記当落抽選手段による当落についての抽選結果が前記可動片の動作契機となる当りであることに基づき、前記第２の遊技領域に打ち込まれた遊技球が前記可動片による動作を通じて前記第１の遊技領域内に進入し、該進入した遊技球が前記特定入球口に受け入れられたとき、前記開閉部材による開閉動作を通じた前記大入賞口の開放によって前記特別遊技を行う遊技機であって、
前記複数種類の当選種が含まれる当落に対応付けされた複数種類の演出パターンを記憶する演出記憶手段と、
前記当落抽選手段による当落についての抽選結果に対応する演出パターンを前記演出記憶手段から読み出し、所定の演出表示手段にて該読み出された演出パターンに基づく演出を表示制御する演出表示制御手段と、をさらに備え、
前記演出記憶手段には、
第１の演出を開始し、前記特別遊技の実行契機となる当りであるか否かを通知する第１の演出パターンと、
前記第１の演出とは異なる第２の演出を開始し、前記可動片の動作契機となる当りである旨を通知する第２の演出パターンと、が少なくとも記憶されており、
前記第１の演出パターンには、
前記第１の演出を開始し、前記特別遊技の実行契機となる当りである旨を通知する特別遊技契機演出パターンと、
前記第１の演出を開始し、前記特別遊技の実行契機となる当りである旨を通知することなく、前記可動片の動作契機となる当りである旨を通知する可動片契機演出パターンと、が含まれており、
前記演出表示制御手段は、
前記当落抽選手段による当落についての抽選結果が前記特別遊技の実行契機となる当りであるとき、前記特別遊技契機演出パターンに基づく演出を表示制御する一方、
前記当落抽選手段による当落についての抽選結果が前記可動片の動作契機となる当りであるとき、前記可動片契機演出パターン又は前記第２の演出パターンに基づく演出を表示制御することを特徴とする遊技機。
【請求項２】
前記演出表示制御手段は、前記可動片契機演出パターンに基づく演出として、前記第１の演出を開始し、前記特別遊技の実行契機となる当りではない旨を通知した後、前記第２の演出を開始することで、前記可動片の動作契機となる当りである旨を通知することを特徴とする請求項１記載の遊技機。
【請求項３】
前記当落抽選手段による当落についての抽選結果が前記可動片の動作契機となる当りであるとき、前記複数種類の演出パターンから前記可動片契機演出パターンを所定の確率で決定する可動片契機演出決定手段をさらに備え、
前記演出表示制御手段は、
前記当落抽選手段による当落についての抽選結果が前記特別遊技の実行契機となる当りであるとき、前記特別遊技契機演出パターンに基づく第１の演出を表示制御する一方、
前記可動片契機演出決定手段による所定の確率で、前記可動片契機演出パターンに基づく第１の演出を表示制御することを特徴とする請求項１または請求項２に記載の遊技機。
【手続補正書】
【提出日】平成21年9月2日(2009.9.2)
【手続補正１】
【補正対象書類名】特許請求の範囲
【補正対象項目名】全文
【補正方法】変更
【補正の内容】
【特許請求の範囲】
【請求項１】
筒状の本体部、及び該本体部の軸直角方向に延びる被係合部を有しスイッチ支持部材に穿設された取付孔に取付固定されるスイッチ本体と、
該スイッチ本体の前記被係合部と係合することで前記スイッチ本体に対して軸方向基端側への移動を規制する係合爪を
有し
前記スイッチ本体内に摺動可能に保持されるボタン状の可動部材と、
該可動部材を軸方向基端側へ付勢する付勢手段と、
該付勢手段の付勢力に抗して前記可動部材が軸方向基端側とは反対側の軸方向先端側へ可動したことを検知する可動検知手段と
を少なくとも備えた操作スイッチを具備する遊技機であって、
前記操作スイッチに、前記可動部材の前記係合爪が前記スイッチ本体の軸直角方向へ移動するのを規制するストッパ部材を更に備え、
前記スイッチ本体に、前記本体部における軸方向基端の外周に軸直角方向外方へ突出し前記取付孔を通過不能に形成されたフランジ部、
及び該フランジ部と協働して前記スイッチ支持部材を挟持可能とされ前記本体部の外周から軸直角方向へ突出すると共に突出した状態に復帰できるように軸直角方向へ移動可能とされた固定片を更に有すること
を特徴とする遊技機。
【請求項２】
請求項１記載の遊技機において、
前記スイッチ本体は、軸方向基端と軸方向先端との間に配置され筒状の前記本体部内を軸方向基端側と先端側とに仕切る仕切り部を更に有し、
該仕切り部と前記可動部材との間に前記付勢手段が配置されている
ものであることを特徴とする遊技機。
【請求項３】
スイッチ本体は、前記固定片が軸方向基端と前記仕切り部との間に配置されているものであることを特徴とする遊技機。
【手続補正書】
【提出日】平成21年9月24日(2009.9.24)
【手続補正１】
【補正対象書類名】特許請求の範囲
【補正対象項目名】全文
【補正方法】変更
【補正の内容】
【特許請求の範囲】
【請求項１】
画像供給デバイスから供給された画像データに基づいて、画像を印刷する印刷装置において、
印刷対象となる複数の画像データのそれぞれの向きを示す情報を、前記画像供給デバイスから取得する取得手段と、
複数の画像データに基づく画像を印刷用紙の１頁内に配置して印刷する場合に、前記取得手段により取得した前記向きを示す情報を参照し、同一頁に配置される複数の画像が同一の向きとなる複数の画像データを決定する決定手段と、
を有することを特徴とする印刷装置。
【請求項２】
請求項１において、
さらに、前記取得手段で取得した前記向きを示す情報に従って画像を回転する回転手段を有することを特徴とする印刷装置。
【請求項３】
請求項２において、
前記取得手段が取得する前記向きを示す情報は、回転角度を示す情報であり、前記回転手段は、前記回転角度を示す情報に従って画像を回転することを特徴とする印刷装置。
【請求項４】
請求項２または３において、
前記回転手段は、同一頁に配置される先頭の画像データに基づく画像の向きに揃えるよう、他の画像データに基づく画像を回転することを特徴とする印刷装置。
【請求項５】
請求項２または３において、
前記回転手段は、印刷用紙を縦長として複数の画像データに基づく画像が配置されるよう画像を回転することを特徴とする印刷装置。
【請求項６】
請求項２または３において、
前記回転手段は、印刷用紙を横長として複数の画像データに基づく画像が配置されるよう画像を回転することを特徴とする印刷装置。
【請求項７】
画像供給デバイスから供給された画像データに基づいて、画像を印刷するための印刷制御方法において、
印刷対象となる複数の画像データのそれぞれの向きを示す情報を、前記画像供給デバイスから取得し、
複数の画像データに基づく画像を印刷用紙の１頁内に配置して印刷する場合に、前記取得した前記向きを示す情報を参照し、同一頁に配置される複数の画像が同一の向きとなる複数の画像データを決定することを特徴とする印刷制御方法。
【手続補正２】
【補正対象書類名】明細書
【補正対象項目名】発明の名称
【補正方法】変更
【補正の内容】
【発明の名称】印刷装置及び印刷制御方法
【手続補正３】
【補正対象書類名】明細書
【補正対象項目名】００１８
【補正方法】変更
【補正の内容】
【００１８】
本発明に係る印刷装置は、画像供給デバイスから供給された画像データに基づいて、画像を印刷する印刷装置において、印刷対象となる複数の画像データのそれぞれの向きを示す情報を、前記画像供給デバイスから取得する取得手段と、複数の画像データに基づく画像を印刷用紙の１頁内に配置して印刷する場合に、前記取得手段により取得した前記向きを示す情報を参照し、同一頁に配置される複数の画像が同一の向きとなる複数の画像データを決定する決定手段とを有する。
【手続補正４】
【補正対象書類名】明細書
【補正対象項目名】００１９
【補正方法】変更
【補正の内容】
【００１９】
本発明によれば、画像供給デバイスから供給される複数の画像を同一頁に印刷する際に画像の向きを揃えて印刷することができるという効果を奏する。